(57)【要約】【課題】携帯端末装置において、試験用端子を、通常時にはユーザの目に触れることがなく、テスト時には容易に測定装置と接続可能な位置に配置する。【解決手段】装置本体を構成する筐体内の所定箇所に貼られるシート状部材１１を備え、そのシート状部材１１が貼られる筐体の所定箇所に開口部１３を設け、その開口部１３を介して外部に露出する位置に試験用信号端子１６を配置する。従って、シート状部材１１が装置本体に貼られる前の状態であれば、試験用信号端子１６が、透孔を介して外部に露出しており、その端子１６を使った信号特性の試験が可能になる。また、シート状部材１１が貼られた後であっても、そのシート状部材１１を一旦剥がすだけで、開口部１３を介して試験用信号端子１６が外部に露出するようになり、完成前と同様の試験が行える。【選択図】図１
2010130578.tif 000002
【特許請求の範囲】
【請求項１】
筐体と、
前記筐体内の所定箇所に貼られるシート状部材と、
前記筐体の前記所定箇所に設けられた開口部と、
前記筐体内に配置されて、前記開口部を介して外部に露出する位置に配置された試験用信号端子とを備える
携帯端末装置。
【請求項２】
前記シート状部材は、操作キー配置箇所の表面に貼られるシート状部材であり、
前記試験用信号端子を、前記開口部に配置された前記操作キーの接点部を避けて配置する
請求項１記載の携帯端末装置。
【請求項３】
前記筐体内部に配置されて高周波信号の送信又は受信を行うアンテナを備え、
前記試験用信号端子は、前記アンテナが受信した高周波信号又はその高周波信号を処理した信号が得られる端子である
請求項２記載の携帯端末装置。
【請求項４】
前記アンテナは、前記操作キー配置箇所の近傍に配置した
請求項３記載の携帯端末装置。
【請求項５】
前記シート状部材は、当該携帯端末装置のブランド名又は機種名を示すラベルとして構成されたシート状部材であり、
前記ラベルが貼られる箇所に前記開口部としての透孔を設け、その透孔を介して外部に露出する位置に前記試験用信号端子を配置した
請求項１記載の携帯端末装置。
【請求項６】
前記筐体として、開閉が自在で、閉状態のとき少なくとも一部が重なった状態となる第１の筐体と第２の筐体とで構成し、
前記試験用信号端子を前記第１の筐体に配置し、
前記シート状部材を前記第２の筐体の所定箇所に貼り、
前記シート状部材が貼られていない状態で、前記第２の筐体に設けた透孔を介して、前記第１の筐体内の前記試験用信号端子が露出する構成とした
請求項５記載の携帯端末装置。
【請求項７】
前記第１の筐体の試験用信号端子を配置した箇所に、前記第２の筐体の透孔と接する、前記第１の筐体の開口を塞ぐ蓋部材を配置した
請求項６記載の携帯端末装置。
【発明の詳細な説明】
【技術分野】
【０００１】
本発明は、携帯電話端末装置などの携帯機器に適用して好適な携帯端末装置に関し、特に試験用の端子を備えた端末装置に関する。
【背景技術】
【０００２】
従来、携帯電話端末装置などの通信機能を備えた端末装置は、製造時や各種テスト時などに使用するための試験用端子を、装置を構成する筐体の内部に備えた構成としてある。
その試験用端子は、筐体の一部を外して分解することで外部に露出する。その露出した端子に測定機器のプローブを接続して、装置の特性を測定することが可能となる。
【０００３】
試験用端子を介して測定する特性としては、例えば携帯電話端末装置が備えるアンテナで受信される信号の特性である、高周波特性（ＲＦ特性）がある。この高周波特性が、設計通りであるかどうかを、試験用端子に接続された外部の測定装置で測定して、携帯電話端末装置の通信性能が所望の性能であるかどうか試験する。この試験用端子を使った測定は、通常、製造時に全ての端末装置で行われるものではないが、一定の比率の台数で測定が行われる。
【０００４】
ここで、筐体の分解が簡単にできる構成であれば問題ないが、近年の携帯電話端末装置は、小型化や薄型化が進んでおり、組み立てられた状態の端末装置の筐体を容易に分解することは困難な構成となっているものが殆どである。このため、試験用端子の配置位置として、端末装置本体を分解せずにプローブを接続可能な位置とする必要がある。
【０００５】
このため、ある構成の携帯電話端末装置では、端末装置の外装を構成する筐体表面に透孔を設けて、その透孔を介して試験用端子が露出する構成としてある。そして、製品として出荷する際には、その透孔を、蓋部材（保護カバー）で接着などして塞ぐ構成してある。ところが、このような蓋部材で筐体の孔を塞ぐ構成とした場合、端末装置の筐体の体裁面のデザイン性が損なわれると共に、蓋部材が必要で部品点数も増えてしまう問題がある。
【０００６】
この問題点を解決するためには、例えば特許文献１に、携帯電話端末装置の電池カバーで隠れる筐体内に、試験用端子を配置する構成とする点についての記載がある。この場合、電池の収容部には、試験用端子を隠すための内蓋を設ける構成として、電池カバーを開けただけの通常の使用状態では、試験用端子が露出しない構成としてある。このように電池カバーで隠れる位置とすることで、電池カバーを外すことで、試験用端子が外部に露出させることが可能となる。
【特許文献１】特開平８−１９０３３号公報（図１）
【発明の開示】
【発明が解決しようとする課題】
【０００７】
しかしながら、特許文献１に記載のように、電池カバーで隠れる位置としても、試験用端子を隠すための内蓋が必要であり、部品点数が増えて、結局、筐体の構成が複雑化してしまう問題がある。また、特許文献１に記載のように、電池収容部内に端子を設ける構成とすると、試験時には、電池を外す必要があり、電池を使って端末装置を起動させて、測定を行うことが困難である問題があった。従って、特性測定時には、専用の小型の電池を別途用意するなどの対処に必要であった。
なお、ここまでの説明では、携帯電話端末装置の問題について述べたが、この種の試験用端子を備えた小型の携帯端末装置の場合には、どの機器の場合にも同様の問題がある。
【０００８】
本発明はこれらの点に鑑みてなされたものであり、携帯端末装置において、試験用端子を、通常時にはユーザの目に触れることがなく、テスト時には容易に測定装置と接続可能な位置に配置できるようにすることを目的とする。
【課題を解決するための手段】
【０００９】
本発明は、装置本体を構成する筐体を備えた携帯端末装置に適用され、筐体内の所定箇所に貼られるシート状部材を備える。
そして、そのシート状部材が貼られる筐体の所定箇所に開口部を設け、その開口部を介して外部に露出する位置に試験用信号端子を配置する。
【００１０】
このようにしたことで、シート状部材が装置本体に貼られる前の状態であれば、試験用信号端子が、透孔を介して外部に露出しており、その端子を使った信号特性の試験が可能になる。また、シート状部材が貼られた後であっても、そのシート状部材を一旦剥がすだけで、透孔を介して試験用信号端子が外部に露出するようになり、完成前と同様の試験が行える。
【発明の効果】
【００１１】
本発明によると、シート状部材が装置本体に貼られる前の状態であれば、試験用信号端子を使って簡単に信号特性の試験が行えるようになる。この場合、シート状部材は端末装置が元々必要とする部材であるため、本発明の構成を採用する上で、端末装置のデザイン性を損なうことがない効果を有する。また、新たに必要となる蓋部材などが全くないため、端末装置の低コスト化にも貢献する。
【発明を実施するための最良の形態】
【００１２】
以下、本発明の実施の形態を、添付図面を参照して以下の順序で説明する。
１．端末装置全体の構成例：図２
２．端末装置の回路構成例：図３
３．試験用端子とその周辺の構成例：図１
４．本実施の形態による効果
５．他の実施の形態の構成例：図４〜図６
【００１３】
［１．端末装置全体の構成例］
本発明の一実施の形態について、図１〜図３を参照して説明する。
本実施の形態においては、携帯電話端末装置に適用した例としてある。
図２は、本実施の形態の例（以下本例と称する）の携帯電話端末装置１の外形構成例を示した図である。
図２（ａ）及び（ｂ）に示すように、携帯電話端末装置１は、第１筐体１０と第２筐体２０とを備え、２つの筐体１０，２０が上下方向にスライド可能に接合してある。スライド機構については特に図示しないが、閉状態では、２つの筐体１０，２０が図２（ａ）に示すように重なった状態となり、開状態では、２つの筐体１０，２０が図２（ｂ）に示すようにずれて、第１筐体１０の下側が露出する構成である。そのスライドさせて露出する第１筐体１０の下側に、ユーザが操作するキーが配置してある。
【００１４】
本例では、第１筐体１０側のキーは、０，１，２、・・・，９の数字及び♯，＊の記号に対応したダイヤルキーと称される１２個のキーであり、一体化されたキーシート１１で構成させてある。キーシート１１は、キーシート用凹部１３（図１）に接着剤や粘着テープなどで貼付けてある。
詳細は後述するが、キーシート１１の裏側には、１２個のキーに対応したスイッチ接点部１５（図１）が配置してあり、キーシート１１がユーザにより押されることで、スイッチ接点部１５がオン状態となって、キーとして機能する構成である。キーシート１１は、比較的柔らかい樹脂性のシートで構成され、表面には、各キーの機能を示す数字や記号などを印刷などで表示させてある。なお、キーシート１１として、図示しない凹凸を表面に設けたり、あるいは、シートの一部を透明にして照明できる構成にする等、種々の変形が可能である。
【００１５】
上側に配置された筐体である第２筐体２０の表面には、比較的大型の表示パネル２１が配置してあり、その下側に各種操作キー２２と上下左右指示キー２３とが配置してある。第２筐体２０の表面の上端と下端には、通話用のスピーカ２５及びマイクロフォン２８が配置してある。
【００１６】
また本例の第２筐体２０の表面の下端には、横長のブランド名表示用シート２４を貼付けてある。このブランド名表示シート２４には、携帯電話端末装置１を販売する電話事業者や販売業者ごとのブランド名や機種名などを印刷などで表示させてあり、電話事業者や販売業者ごとに個別のものが用意される。
ブランド名表示シート２４は、第２筐体２０の表面に設けた凹部に嵌めて接着などで取付けてあり、第２筐体２０の表面と平滑な状態になっている。
なお、図１に示すように、本例の携帯電話端末装置１の第１筐体１０内の下端側には、アンテナ１７を内蔵させてあり、そのアンテナ１７を使って無線信号の送信及び受信が行われる構成としてある。
【００１７】
［２．端末装置の回路構成例］
次に、本例の携帯電話端末装置１の内部構成例を、図３を参照して説明する。
図３に示した構成について説明すると、携帯電話端末装置１は、中央制御ユニット（ＣＰＵ）として構成された制御部１０１を備え、その制御部１０１が制御ライン１１１を介して各部の制御を行う。制御ライン１１１とは別に、音声データなどを伝送させるためのデータライン１１２についても備える。制御部１０１には、操作部１０４からの操作指令が供給される。操作部１０４は、例えば、図２に示した各キーの操作を検出して操作指令を発する。
【００１８】
また、携帯電話端末装置１は、携帯電話端末として基地局などと無線通信を行う通信処理部１０２を備え、通信処理部１０２にアンテナ１７が接続してある。アンテナ１７は、既に説明したように、第１筐体１０内の下端側に内蔵させてある。また、通信処理部１０２には、試験用端子１６が接続してある。この試験用端子１６は、アンテナ１７で受信して得た高周波信号（ＲＦ信号）、あるいはその高周波信号を通信処理部１０２で処理した信号が出力される端子である。また、アンテナ１７から送信させる高周波信号、あるいはその送信させる高周波信号を生成させるための通信処理部１０２で処理した信号を、試験用端子１６から出力させてもよい。どの信号を出力させるのかについては、制御部１０１の制御で選定できる構成としてもよい。
通信処理部１０２で受信したデータの内の音声データは、データライン１１２を介して、音声処理部１０６に供給し、音声データの復調などを行って、スピーカ２５に供給する。そして、スピーカ２５から放音させる。また、マイクロフォン２８に入力された音声による音声データを、音声処理部１０６で得る。その得られた音声データを、データライン１１２を介して、通信処理部１０２に供給して、基地局側に無線送信させる。
【００１９】
また、メールデータ、ウェブの閲覧画面のデータ、ダウンロードした画像データや音楽データなどの各種データを通信処理部１０２で受信した場合には、それらのデータをメモリ１０５に記憶させ、画像表示や音楽再生などを行う。
これらの受信したデータによる画像表示や、携帯電話端末として必要な発信時や着信時の表示、電話帳表示などを行うために、表示部１０３を備える。表示部１０３は、図２などに示した表示パネル２１を駆動して、各種表示を行う。表示パネル２１としては、液晶表示パネルなどが使用される。
【００２０】
［３．試験用端子とその周辺の構成例］
次に、本例の携帯電話端末装置１の試験用端子とその周辺構成について、図１を参照して説明する。
図１は、本例の携帯電話端末装置１を示した斜視図であり、キーシート１１を貼付ける前の状態で示した点が、図２との違いである。
第１筐体１０のキーシート１１が配置される箇所には、キーシート用凹部１３を設けてあり、そのキーシート用凹部１３内に、接点板１４が配置してある。この接点板１４は、キーシート１１上の１２個のキー配置に対応して、１２個のスイッチ接点部１５が縦４個×横３個の配列で配置してある。各スイッチ接点部１５は、上側から押されることで、スイッチ接点がオン状態になる構成である。
【００２１】
ここで、本例の接点板１４の縦方向の上端の２個のスイッチ接点部１５の間に、切欠部１４ａを設けてある。この切欠部１４ａを配置した箇所には、第１筐体１０内に配置された試験用端子１６を露出させてある。試験用端子１６は、図３の構成で説明したように、アンテナ１７で受信又は送信させる高周波信号、あるいはその高周波信号を通信処理部１０２で処理した信号が出力される端子である。
この試験用端子１６は、第１筐体１０内に配置された回路基板上に取り付けたものであり、試験用端子１６の配置箇所に対応して、第１筐体１０のキーシート用凹部１３に透孔（図示せず）を設けて、試験用端子１６が露出する構成である。
【００２２】
試験用端子１６は、携帯電話端末装置１の性能などをテストする際に、例えば、別体の試験装置（図示せず）のプローブ９０の先端の接点部９１を接触させて、試験装置に高周波信号を送る。そして、その試験装置側で、携帯電話端末装置１が必要な特性が得られているかどうか解析作業を行う。
【００２３】
この試験用端子１６の配置位置は、キーシート用凹部１３内であるため、キーシート１１を接点板１４の上に貼付けた状態では、試験用端子１６がキーシート１１で完全に隠れる状態となる。
【００２４】
［４．本実施の形態による効果］
以上説明した本実施の形態による携帯電話端末装置１によると、試験用端子１６を使った性能のテストが簡単に行える。即ち、携帯電話端末装置１を製造する際に、図１に示したようにキーシート１１を貼付けない状態としておくことで、試験用端子１６が露出し、その試験用端子１６を使って外部の測定装置と接続させることができる。そして、特性のテストが終了後には、キーシート１１を接着剤や粘着テープなどを使って貼付けることで、製品として完成させることができ、テスト作業が簡単に行える。
【００２５】
特に本例の場合には、試験用端子１６が筐体１０の表面側にあるため、表示パネル２１での表示を見ながら、特性測定を行うことができる。このため、携帯電話端末装置１の測定作業を行う場合には、表示パネル２１で端末装置１の動作状況を確認しながら、試験用端子１６にプローブ９０などを接続させて測定作業を行うことが可能となる。このことは、例えば筐体の裏面の電池蓋内に試験用端子を設ける場合に比べて、大幅に作業性が向上する。特性測定時にキー操作が必要な場合にも、表面に配置されたキーを操作しながら、試験用端子１６にプローブ９０などを接続させることができ、この点からも作業性が向上する。
【００２６】
また、サービス時（修理時）などにおいて、試験用端子１６を使った特性測定が必要な際には、キーシート１１を一旦剥がすだけでよく、比較的簡単に特性測定が行える。
【００２７】
また、携帯電話端末装置１の構成上からも、本実施の形態による携帯電話端末装置１の試験用端子１６の配置は好ましいものである。即ち、本実施の形態の場合には、通常の使用時に試験用端子１６を隠すための専用の部材が全く必要なく、元々端末装置として必要なキーシート１１が、端子１６を隠す部材として機能する。このため、試験用端子１６を隠す構成のために余計なコストが必要なく、端末装置の低コスト化に貢献する。また、本実施の形態の構成としたことで、試験用端子１６を隠すための専用のカバーなどが全くないため、通常の使用状態ではユーザは試験用端子１６があることが全く判らず、端末装置のデザイン性を損なうことがない効果を有する。
【００２８】
さらにまた、本実施の形態の場合には、試験用端子１６の配置位置が、アンテナ１７の配置位置に比較的近い位置の筐体１０の下部であるため、アンテナ１７で受信又は送信する信号を、アンテナ１７の接続部に近い位置で試験用端子１６に供給できる。このため、試験用端子１６から出力される信号として、信号劣化やノイズの影響などを受けない良好な信号とすることができる。
【００２９】
［５．他の実施の形態の構成例］
次に、本発明の他の実施の形態について、図４〜図６を参照して説明する。この図４〜図６において、先に説明した図１〜図３に対応する部分には同一符号を付す。
本実施の形態においても携帯電話端末装置に適用した例であり、携帯電話端末装置の基本的な構成については、図２及び図３に示した携帯電話端末装置１と同じである。
そして図４に示した本例の携帯電話端末装置１′は、試験用端子の位置を、図１例の携帯電話端末装置１とは別の位置としたものである。
【００３０】
即ち、図４の携帯電話端末装置１′は、ブランド名表示シート２４が貼付けられていない状態を示してある。
図４に示されるように、第２筐体２０の表面の下端には、ブランド名表示シート用凹部２６が用意してあり、その凹部２６に横長形状のブランド名表示シート２４が貼付けられる。ブランド名表示シート２４は、樹脂製のシートで構成され、接着剤又は粘着テープで取付けられる。
このブランド名表示シート２４には、携帯電話端末装置１′を販売する電話事業者や販売業者ごとのブランド名や機種名を印刷などで表示させてあり、電話事業者や販売業者ごとに個別のものが用意される。
【００３１】
そして本例においては、第２筐体２０のブランド名表示シート用凹部２６内に、透孔２７を設ける。この透孔２７は、第２筐体２０の厚さ方向に貫通させてある。
即ち、ブランド名表示シート２４が貼付けられる箇所の筐体１０，２０を断面にして図５に示すように、第２筐体２０のブランド名表示シート用凹部２６内に、第２筐体２０の厚さ方向に貫通した透孔２７を設けてある。
【００３２】
そして、２つの筐体１０，２０を開いた状態のときに、透孔２７と重なる位置の筐体１０の表面にも、透孔１９を設けて、その透孔１９の下側に、試験用端子１８ａを配置する。
試験用端子１８ａは、図５に示すように、基板１８上に取付けてある。この基板１８には、各種回路部品１８ｂが取付けてあり、図示しないアンテナ１７（図１参照）とも接続させてある。試験用端子１８ａから出力される信号は、図１に示した試験用端子１６から出力される信号と同じである。
その他の部分は、上述した一実施の形態の例の携帯電話端末装置１と同様に構成する。
【００３３】
この図４及び図５に示した携帯電話端末装置１′の場合には、製造時などにおいて、ブランド名表示シート２４を貼付けない状態として、透孔２７を介して試験用端子１８ａを露出させた状態とする。そして、この露出した試験用端子１８ａに、別体の試験装置（図示せず）のプローブ９０の先端の接点部９１を接触させて、試験装置に高周波信号を送る。そして、その試験装置側で、携帯電話端末装置１′が必要な特性が得られているかどうか解析作業を行う。テスト作業が終了した後は、ブランド名表示シート２４を貼付けて、製品として完成させる。
【００３４】
この図４例の携帯電話端末装置１′の場合にも、図１などに示した携帯電話端末装置１と同様に、１枚のシート２４で隠れる位置に試験用端子を配置したので、そのシート２４を貼付けない状態とするだけで、簡単にテストが行える。また、ブランド名表示シート２４を貼付けることで、試験用端子１８ａが外部から見えることがなく、デザイン性も優れたものとなる。
【００３５】
なお、図５に示した例の場合には、筐体１０側の透孔１９については、特に塞ぐ構成は設けてなく、第２筐体２０とその表面のブランド名表示シート２４で塞がれる構成とした。これでも第１筐体１０内への埃などの侵入防止は行えるが、例えば防水構造などとするためにより完全に筐体の隙間を塞ぐ必要がある場合には、透孔１９を別部材で塞ぐ構成としてもよい。
【００３６】
例えば図６に示したように、第１筐体１０の透孔１９を塞ぐ、蓋部材１９ａを設けて、試験用端子１８ａを使ったテストを行う場合にだけ、蓋部材１９ａを外す構成とする。蓋部材１９ａは、容易に外すことがでる部材であれば、シート状の部材や充填材など、どのような構成としてもよい。或いは、第１筐体１０に透孔１９を設けない構成として、該当する位置（図５で透孔１９が設けられる位置）の筐体１０の厚さを薄くして、外側から何らかの力を加えることで、この透孔１９に相当する孔が簡単に開けられる構成としてもよい。この場合、試験用端子１８ａを使ったテストの終了後には、シート状の部材や充填材などで、開けた孔を塞ぐのが好ましい。
その他の部分は、図４及び図５に示した携帯電話端末装置１′と同様に構成する。
この図６の構成によっても、試験用端子１８ａを使ったテストが簡単に行えると共に、端末装置のデザイン性を損なうことがない構成とすることができる。
【００３７】
なお、本発明は上述した実施の形態の例に限定されるものではなく、特許請求の範囲に記載した本発明の要旨を逸脱しない限りにおいて、他の変形例、応用例を含むことは言うまでもない。
例えば、上述した実施の形態では、携帯電話端末装置に適用した例としたが、その他の通信機能を備えた携帯端末装置の送信アンテナ又は受信アンテナの高周波特性を測定するための試験用端子を配置する場合にも適用してもよい。また、高周波特性以外の特性を測定するための試験用端子に適用してもよい。
【図面の簡単な説明】
【００３８】
【図１】本発明の一実施の形態による携帯端末装置の構成例（キーシートを貼っていない状態の例）を示す斜視図である。
【図２】本発明の一実施の形態による携帯端末装置の構成例（閉じた状態及び開いた状態）を示す斜視図である。
【図３】本発明の一実施の形態による携帯端末装置の内部構成例を示すブロック図である。
【図４】本発明の他の実施の形態による携帯端末装置の構成例（ブランド名表示シートを貼っていない状態の例）を示す斜視図である。
【図５】図４のＶ−Ｖ線に沿う断面図である。
【図６】図５例の変形例を示す断面図である。
【符号の説明】
【００３９】
１，１′…携帯電話端末装置、１０…第１筐体、１１…キーシート、１３…キーシート用凹部、１４…接点板、１４ａ…切欠部、１５…スイッチ接点部、１６…試験用端子、１７…アンテナ、１８…基板、１８ａ…試験用端子、１８ｂ…回路部品、１９…透孔、１９ａ…蓋部材、２０…第２筐体、２１…表示パネル、２２…操作キー、２３…上下左右指示キー、２４…ブランド名表示シート、２５…スピーカ、２６…ブランド名表示シート用凹部、２７…透孔、２８…マイクロフォン、９０…プローブ、９１…接点部、１０１…制御部、１０２…通信処理部、１０３…表示部、１０４…操作部、１０５…メモリ部、１０６…音声処理部、１１１…制御ライン、１１２…データライン
【図１】
2010130578.tif 000003
【図２】
2010130578.tif 000004
【図３】
2010130578.tif 000005
【図４】
2010130578.tif 000006
【図５】
2010130578.tif 000007
【図６】
2010130578.tif 000008